(57)【要約】【課題】構造がより簡単で加工が容易であり、臨機応変に伸縮可能であるとともに、快適な着用性と美観を保つことのできる下着用伸縮支持フレームを提供する。【解決手段】支持フレームワイヤ１と、支持フレームワイヤ１に被せられるスリップキャップ２とを設け、当該スリップキャップ２の先端に固定孔３を設ける。【選択図】図１
2011157678.tif 000002
【特許請求の範囲】
【請求項１】
下着用伸縮支持フレームにおいて、
支持フレームワイヤと、支持フレームワイヤに被せられるスリップキャップとを含み、
当該スリップキャップの先端に固定孔が設けられていることを特徴とする下着用伸縮支持フレーム。
【請求項２】
前記スリップキャップが前記支持フレームワイヤの一端に被せられ、
当該支持フレームワイヤの他端に固定孔が設けられていることを特徴とする請求項１に記載の下着用伸縮支持フレーム。
【請求項３】
前記支持フレームワイヤの両端に、前記固定孔を有するスリップキャップが配設されることを特徴とする請求項１に記載の下着用伸縮支持フレーム。
【請求項４】
前記スリップキャップは直線状又は弧状であることを特徴とする請求項１〜３のいずれかに記載の下着用伸縮支持フレーム。
【発明の詳細な説明】
【技術分野】
【０００１】
本発明は、服飾分野における下着用伸縮支持フレームに関し、特に女性下着用の機能部材に関する。
【背景技術】
【０００２】
従来、補整ウエアー等の女性用シェイプアップインナーでは、皺にならないよう身体にフィットさせるために、ウエアーの縦方向に金属製又はプラスチック製の支持フレームが縫い込まれている。金属フレームは、その外表面が鱗（ｓｃａｌｅ）状であることから「スケールフレーム」と通称され、プラスチックフレームについては「ラバーフレーム」と通称される。しかし、これらのフレームは、ウエアーに縫い込まれた後に湾曲は可能であるが、ウエアーの伸縮に伴ってその長さを変えることはできない。従って、着用者が身体を湾曲させた場合、ウエアー内に縫い込まれた従来のフレームは、長さが圧縮されずにアーチ状に曲がってしまう。よって、ウエアーが身体にフィットしなくなり、着用上の美観が損なわれる。また、一定期間使用するとフレームが変形し、従来設計による所期の目的を達成できなくなることから、着用感が非常に悪くなる。
【０００３】
出願人は、特許文献１において、「長さを自動調節可能な下着用支持フレーム」を開示し、上記のような問題を解決している。
【先行技術文献】
【特許文献】
【０００４】
【特許文献１】中国実用新案ＺＬ２００４２００８２９５９．６
【発明の概要】
【発明が解決しようとする課題】
【０００５】
しかし、特許文献１のような構造の支持フレームでは、上記の課題を解決可能ではあるが、部材数が多いために加工が複雑かつ困難で、高コストとなってしまう。
【０００６】
本発明は、このような事情に鑑み、構造がより簡単で加工が容易であり、臨機応変に伸縮可能であるとともに、快適な着用性と美観を保つことのできる下着用伸縮支持フレームを提供することを目的とする。
【課題を解決するための手段】
【０００７】
前記課題を解決するために、本発明は、下着用伸縮支持フレームにおいて、支持フレームワイヤと、支持フレームワイヤに被せられるスリップキャップとを含み、当該スリップキャップの先端に固定孔が設けられていることを特徴とする下着伸縮支持フレームを提供する。
【０００８】
本発明において、前記スリップキャップが支持フレームワイヤの一端に被せられ、当該支持フレームワイヤの他端に固定孔が設けられているのが好ましい。
【０００９】
また、本発明において、前記支持フレームワイヤの両端に、固定孔を有するスリップキャップが配設されるのが好ましい。
【００１０】
また、本発明において、前記スリップキャップは直線状又は弧状であるのが好ましい。
【発明の効果】
【００１１】
本発明によれば、従来技術と比べて中間部材が少なくてすみ、加工が容易で伸縮自在となる。また、本発明は支持機能を発現するとともに、長さにおいて伸縮量を変化させることができるので、女性用シェイプアップインナー等の下着において、縫い込まれた支持フレームが長さを圧縮できないためにアーチ状に曲がってしまうという問題を解決可能である。よって、補整ウエアー等の女性用シェイプアップインナー着用時の美しいフィット性と、着用者の活動時における一層の自在性、快適性、フィット性を保つとともに、支持フレームが配設された女性用シェイプアップインナーの長寿命化が可能である。
【図面の簡単な説明】
【００１２】
【図１】図１は、本発明の実施例１の構造を正面から見た図である。
【図２】図２は、本発明の実施例１の構造の側面左視図である。
【図３】図３は、本発明の実施例２の構造を正面から見た図である。
【図４】図４は、本発明の実施例２の構造の側面左視図である。
【発明を実施するための形態】
【００１３】
以下、図１〜４を参照して本発明を詳細に説明する。
【００１４】
実施例１を、図１，２に示す。
【００１５】
本発明に係る下着用伸縮支持フレームの実施例１は、支持フレームワイヤ１と、支持フレームワイヤ１に被せられるスリップキャップ２とを含み、当該スリップキャップ２の先端に固定孔３が設けられている。図２に示すように、実施例１において、支持フレームワイヤ１は、扁平な棒状部材である。また、実施例１において、前記スリップキャップ２は弧状のスリップキャップである。実施例１の支持フレームワイヤ１とスリップキャップ２は、金属又は非金属で構成され、一定の強度を有するとともに、良好な弾性を備える。実施例１では、前記スリップキャップ２が支持フレームワイヤ１の一端に被せられ、支持フレームワイヤ１の他端には固定孔４が設けられている。スリップキャップ２の先端の固定孔３と、支持フレームワイヤ１の端部の固定孔４は、実施例１の下着用伸縮支持フレームを下着に固定するために設けられる。
【００１６】
より詳細には、実施例１のスリップキャップ２の基端には開口部分が設けられており、スリップキャップ２の内側にはこの開口部分からスリップキャップ２の先端側に延びる所定の空間が形成されている。支持フレームワイヤ１の一端は、前記スリップキャップ２の開口部分からスリップキャップ２の内側に形成された空間内に挿入されている。一方、実施例１のスリップキャップ２の先端は、前記空間が塞がれたれた形状を有している。前記固定孔３は、このスリップキャップ２の先端の部分を貫通している。
【００１７】
このように構成された下着用伸縮支持フレームによれば、前記スリップキャップ２に対して支持ワイヤフレーム１がスライドする。そのため、下着用伸縮支持フレーム全体が伸縮する。
【００１８】
また、この実施例１に係る下着用伸縮支持フレームは、支持フレームワイヤ１と、スリップキャップ２とで構成されている。そのため、部品点数が少なく、加工が容易であるとともに、伸縮が容易である。
【００１９】
ここで、実施例１に係る前記スリップキャップ２は直線状であってもよい。
【００２０】
実施例２を、図３，４に示す。
【００２１】
実施例２では、実施例１と異なり支持フレームワイヤ１１に固定孔が形成されていない。一方、支持フレームワイヤ１１の両端に、固定孔を有するスリップキャップ１２が配設される。前記両端におけるスリップキャップ１２には、固定に必要な固定孔１３，１４が設けられる。実施例２において、前記支持フレームワイヤ１１とスリップキャップ１２は、金属又は非金属で構成されればよい。実施例２のスリップキャップ１２は直線状のスライドキャップである。
【００２２】
実施例２の他の部分は実施例１と全く同じである。
【００２３】
ここで、この実施例２においても、前記スリップキャップ１２を弧状としてもよい。
【符号の説明】
【００２４】
１    支持ワイヤフレーム（実施例１）
２    スリップキャップ（実施例１）
３    固定孔（実施例１）
１１    支持ワイヤフレーム（実施例２）
１２    スリップキャップ（実施例２）
１３    固定孔（実施例２）
１４    固定孔（実施例２）
【図１】
2011157678.tif 000003
【図２】
2011157678.tif 000004
【図３】
2011157678.tif 000005
【図４】
2011157678.tif 000006